(57)【特許請求の範囲】
【請求項１】
機器本体内に除湿手段１１２および送風手段１１３と、これら除湿手段１１２および送風手段１１３の運転制御を行う制御手段１と、機器周辺温度を検知する温度検知手段１０４と、機器周辺湿度を検知する湿度検知手段１０５と、を備えた除湿機において、前記制御手段１は、まず乾燥運転開始時における前記温度検知手段１０４の検知値と、前記湿度検知手段１０５の検知値と、運転モードとから乾燥終了を判断する乾燥常数Ｄｘを初期設定する乾燥常数初期設定制御を行い、次に乾燥常数Ｄｘを補正する乾燥常数補正制御を行なうことを特長とし、前記乾燥常数補正制御は、乾燥運転開始から、前記温度検知手段１０４と前記湿度検知手段１０５との検知値から計算される絶対湿度が、上昇から低下に転じる変化点までの時間によって、前記乾燥常数Ｄｘから補正値ＤＨを減じて補正し、前記補正値ＤＨは、経過時間Ｔｉｍｅの関数として計算し、最初に設定した前記乾燥常数Ｄｘを求めたときの絶対湿度が前回データより低下する経過時間Ｔｘを基準とし、前記経過時間Ｔｘより前記経過時間Ｔｉｍｅが長い場合は、その比率に応じて前記補正値ＤＨをマイナスにし、前記経過時間Ｔｘより前記経過時間Ｔｉｍｅが短い場合は、その比率に応じて前記補正値ＤＨをプラスにすることを特長とした除湿機。
【請求項２】
機器本体内に除湿手段１１２および送風手段１１３と、これら除湿手段１１２および送風手段１１３の運転制御を行う制御手段１と、機器周辺温度を検知する温度検知手段１０４と、機器周辺湿度を検知する湿度検知手段１０５と、を備えた除湿機において、前記制御手段１は、まず乾燥運転開始時における前記温度検知手段１０４の検知値と、前記湿度検知手段１０５の検知値と、運転モードとから乾燥終了を判断する乾燥常数Ｄｘを初期設定する乾燥常数初期設定制御を行い、次に乾燥常数Ｄｘを補正する乾燥常数補正制御を行なうことを特長とし、前記乾燥常数補正制御は、乾燥運転開始から、前記湿度検知手段１０５の検知値が上昇から低下に転じる変化点までの時間によって、前記乾燥常数Ｄｘから前記補正値ＤＨを減じて補正し、前記補正値ＤＨは、経過時間Ｔｉｍｅの関数として計算し、最初に設定した前記乾燥常数Ｄｘを求めたときの湿度Ｒｈ（ｎ）が前回データＲｈ（ｎ−１）より低下する経過時間Ｔｘを基準とし、前記経過時間Ｔｘより前記経過時間Ｔｉｍｅが長い場合は、その比率に応じて前記補正値ＤＨをマイナスにし、前記経過時間Ｔｘより前記経過時間Ｔｉｍｅが短い場合は、その比率に応じて前記補正値ＤＨをプラスにすることを特長とした除湿機。
【請求項３】
機器本体内に除湿手段１１２および送風手段１１３と、これら除湿手段１１２および送風手段１１３の運転制御を行う制御手段１と、機器周辺温度を検知する温度検知手段１０４と、機器周辺湿度を検知する湿度検知手段１０５と、を備えた除湿機において、前記制御手段１は、まず乾燥運転開始時における前記温度検知手段１０４の検知値と、前記湿度検知手段１０５の検知値と、運転モードとから乾燥終了を判断する乾燥常数Ｄｘを初期設定する乾燥常数初期設定制御を行い、次に乾燥常数Ｄｘを補正する乾燥常数補正制御を行なうことを特長とし、前記乾燥常数補正制御は、乾燥運転開始から、前記湿度検知手段１０５の検知値が上昇から低下に転じる変化点までの時間と、運転開始時の前記温度検知手段１０４の検知値とによって前記乾燥常数Ｄｘから補正値ＤＨを減じて補正し、前記補正値ＤＨは、経過時間Ｔｉｍｅと初期温度Ｔｅｍｐ０の関数として計算し、最初に設定した乾燥常数Ｄｘを求めたときの湿度Ｒｈ（ｎ）が前回データＲｈ（ｎ−１）より低下する経過時間Ｔｘと室温Ｔｒｘから基準とする経過時間Ｔｘを室温Ｔｒｘと初期温度Ｔｅｍｐ０の差によって補正し、前記経過時間Ｔｘより経過時間Ｔｉｍｅが長い場合は、その比率に応じて前記補正値ＤＨをマイナスにし、前記経過時間Ｔｘより前記経過時間Ｔｉｍｅが短い場合は、その比率に応じて前記補正値ＤＨをプラスにすることを特長とした除湿機。
【請求項４】
機器本体内に除湿手段１１２および送風手段１１３と、これら除湿手段１１２および送風手段１１３の運転制御を行う制御手段１と、機器周辺温度を検知する温度検知手段１０４と、機器周辺湿度を検知する湿度検知手段１０５と、を備えた除湿機において、前記制御手段１は、まず乾燥運転開始時における前記温度検知手段１０４の検知値と、前記湿度検知手段１０５の検知値と、運転モードとから乾燥終了を判断する乾燥常数Ｄｘを初期設定する乾燥常数初期設定制御を行い、次に乾燥常数Ｄｘを補正する乾燥常数補正制御を行なうことを特長とし、前記乾燥常数補正制御は、乾燥運転開始時の前記温度検知手段１０４と前記湿度検知手段１０５の検出値から算出される乾燥係数Ｔｔ０と、乾燥運転時の前記温度検知手段１０４と前記湿度検知手段１０５の検出値から算出される乾燥係数Ｔｔとの差が一定以上変化するまでの時間によって前記乾燥常数Ｄｘから補正値ＤＨを減じて補正し、前記補正値ＤＨは、経過時間Ｔｉｍｅの関数として計算し、最初に設定した乾燥常数Ｄｘを求めたときの乾燥係数Ｔｔと初期の乾燥係数Ｔｔ０の差がＣ（定数）以上となる経過時間Ｔｘを基準とし、前記経過時間Ｔｘより前記経過時間Ｔｉｍｅが長い場合は、その比率に応じて前記補正値ＤＨをマイナスにし、前記経過時間Ｔｘより前記経過時間Ｔｉｍｅが短い場合は、その比率に応じて前記補正値ＤＨをプラスにすることを特長とした除湿機。
【請求項５】
機器本体内に除湿手段１１２および送風手段１１３と、これら除湿手段１１２および送風手段１１３の運転制御を行う制御手段１と、機器周辺温度を検知する温度検知手段１０４と、機器周辺湿度を検知する湿度検知手段１０５と、を備えた除湿機において、前記制御手段１は、まず乾燥運転開始時における前記温度検知手段１０４の検知値と、前記湿度検知手段１０５の検知値と、運転モードとから乾燥終了を判断する乾燥常数Ｄｘを初期設定する乾燥常数初期設定制御を行い、次に乾燥常数Ｄｘを補正する乾燥常数補正制御を行なうことを特長とし、前記乾燥常数補正制御は、乾燥運転開始時の前記温度検知手段１０４と前記湿度検知手段１０５の検出値から算出される乾燥係数Ｔｔ０と、乾燥運転時の前記温度検知手段１０４と前記湿度検知手段１０５の検出値から算出される乾燥係数Ｔｔとの差が、乾燥運転開始時の前記初期乾燥係数Ｔｔ０に応じた設定値以上変化するまでの時間によって前記乾燥常数Ｄｘから補正値ＤＨを減じて補正し、前記補正値ＤＨは、経過時間Ｔｉｍｅの関数として計算し、最初に設定した乾燥常数Ｄｘを求めたときの乾燥係数Ｔｔと初期の乾燥係数Ｔｔ０の差がＣ×Ｔｔ０（Ｃは定数）以上となる経過時間Ｔｘを基準とし、前記経過時間Ｔｘより前記経過時間Ｔｉｍｅが長い場合は、その比率に応じて補正値ＤＨをマイナスにし、前記経過時間Ｔｘより前記経過時間Ｔｉｍｅが短い場合は、その比率に応じて前記補正値ＤＨをプラスにすることを特長とした除湿機。
【請求項６】
機器本体内に除湿手段１１２および送風手段１１３と、これら除湿手段１１２および送風手段１１３の運転制御を行う制御手段１と、機器周辺温度を検知する温度検知手段１０４と、機器周辺湿度を検知する湿度検知手段１０５と、を備えた除湿機において、前記制御手段１は、まず乾燥運転開始時における前記温度検知手段１０４の検知値と、前記湿度検知手段１０５の検知値と、運転モードとから乾燥終了を判断する乾燥常数Ｄｘを初期設定する乾燥常数初期設定制御を行い、次に乾燥常数Ｄｘを補正する乾燥常数補正制御を行なうことを特長とし、前記乾燥常数補正制御は、乾燥運転開始時の前記温度検知手段１０４と前記湿度検知手段１０５の検出値から算出される乾燥係数Ｔｔ０と、乾燥運転時の前記温度検知手段１０４と前記湿度検知手段１０５の検出値から算出される乾燥係数Ｔｔの差が一定以上変化するまでの時間と、そのときの前記温度検知手段１０４の検知値と、乾燥運転開始時の前記温度検知手段１０４の検知値とから算出される単位時間あたりの平均温度変化値によって前記乾燥常数Ｄｘから補正値ＤＨを減じて補正し、前記補正値ＤＨは、経過時間Ｔｉｍｅの関数として計算し、最初に設定した乾燥常数Ｄｘを求めたときの乾燥係数Ｔｔと初期の乾燥係数Ｔｔ０の差がＣ（定数）以上となる経過時間Ｔｘと、前記経過時間Ｔｉｍｅと前記温度検知手段１０４の検知値Ｔｅｍｐ（ｎ）と初期の温度検知手段１０４の検知値Ｔｅｍｐ０から算出される単位時間あたりの平均温度変化値によって補正し、前記経過時間Ｔｘを基準とし、前記経過時間Ｔｘより前記経過時間Ｔｉｍｅが長い場合は、その比率に応じて補正値ＤＨをマイナスにし、前記経過時間Ｔｘより前記経過時間Ｔｉｍｅが短い場合は、その比率に応じて補正値ＤＨをプラスにすることを特長とした除湿機。
【請求項７】
機器本体内に除湿手段１１２および送風手段１１３と、これら除湿手段１１２および送風手段１１３の運転制御を行う制御手段１と、機器周辺温度を検知する温度検知手段１０４と、機器周辺湿度を検知する湿度検知手段１０５と、を備えた除湿機において、前記制御手段１は、まず乾燥運転開始時における前記温度検知手段１０４の検知値と、前記湿度検知手段１０５の検知値と、運転モードとから乾燥終了を判断する乾燥常数Ｄｘを初期設定する乾燥常数初期設定制御を行い、次に乾燥常数Ｄｘを補正する乾燥常数補正制御を行なうことを特長とし、前記乾燥常数補正制御は、乾燥運転開始時の前記温度検知手段１０４と前記湿度検知手段１０５の検出値から算出される乾燥係数Ｔｔ０と、乾燥運転時の前記温度検知手段１０４と前記湿度検知手段１０５の検出値から算出される乾燥係数Ｔｔの差が、乾燥運転開始時の前記温度検知手段１０４の検知値による設定値以上変化するまでの時間と、そのときの前記温度検知手段１０４の検知値と運転開始時の前記温度検知手段１０４の検知値から算出される単位時間あたりの平均温度変化値とによって前記乾燥常数Ｄｘから補正値ＤＨを減じて補正し、前記補正値ＤＨは、経過時間Ｔｉｍｅの関数として計算し、最初に設定した乾燥常数Ｄｘを求めたときの乾燥係数Ｔｔと初期の乾燥係数Ｔｔ０の差がＣ×Ｔｔ０（Ｃは定数）以上となる経過時間Ｔｘと、経過時間Ｔｉｍｅと温度検知手段１０４の検知値Ｔｅｍｐ（ｎ）と初期の温度検知手段１０４の検知値Ｔｅｍｐ０から算出される単位時間あたりの平均温度変化値によって補正し、前記経過時間Ｔｘを基準とし、前記経過時間Ｔｘより前記経過時間Ｔｉｍｅが長い場合は、その比率に応じて前記補正値ＤＨをマイナスにし、前記経過時間Ｔｘより前記経過時間Ｔｉｍｅが短い場合は、その比率に応じて前記補正値ＤＨをプラスにすることを特長とした除湿機。
【発明の詳細な説明】
【技術分野】
【０００１】
本発明は、衣類乾燥に使用される除湿機に関するものである。
【背景技術】
【０００２】
従来、この種の除湿機については、一つの例として特開２００３―４２５１３号公報に記載されているものが知られている。
【０００３】
以下、その除湿機および制御方法について図１１〜図１５を参照しながら説明する。その構成を図１１及び図１２に示すように除湿機の制御方法は、機器本体１０１内に除湿手段１１２および送風手段１１３と、これら除湿手段１１２および送風手段１１３の運転制御を行う制御手段１０８と、機器周辺温度を検知する温度検知手段１０４、湿度を検知する湿度検知手段１０５および運転操作を行なう操作部１０２を備えた除湿機において、操作部運転スイッチの衣類乾燥モード（図示せず）を選択した場合、図１３のフローチャートに示すように、ＳＴＥＰ１１１でスイッチ入力される。
【０００４】
次にＳＴＥＰ１１２で入力されたスイッチの種類を区別し、衣類乾燥スイッチの入力がある場合はＳＴＥＰ１１３に移ることとなる。そしてＳＴＥＰ１１３にて制御手段１０８により乾燥運転が開始され乾燥常数Ｄｘが設定される。
【０００５】
温度検知手段１０４、湿度検知手段１０５において検知された温度・湿度は信号送付手段によりマイクロコンピューター１０７内の制御手段１０８に送られる。検知された温度、湿度をもとに制御手段１０８にて乾燥係数Ｔｔの算出（ＳＴＥＰ１１６）が行われる。
【０００６】
乾燥係数Ｔｔの算出（ＳＴＥＰ１１６）方法について図１４にて詳しく説明する。
【０００７】
まず、検知された温度、湿度から雰囲気空気の絶対湿度Ｘｒと全熱量Ｉｒを算出する（ＳＴＥＰ１２１）。
【０００８】
ここで、衣類の乾燥についての考え方を空気線図上で検討を行なうこととする。図１５において一般的な雰囲気空気をの空気状態とする。この空気で全熱量が変化しない状態は等エンタルピー状態である。衣類乾燥時の衣類近傍空気は湿度１００％の状態になっていることから上記雰囲気空気の等エンタルピー上の空気状態と推測できる。
【０００９】
従って、図１４に示すように、衣類近傍空気は乾燥過程のため湿度１００％と仮定（ＳＴＥＰ１２２）と、ＳＴＥＰ１２１で算出された雰囲気空気の全熱量Ｉｒとから衣類近傍の絶対湿度Ｘｃが算出できる（ＳＴＥＰ１２３）。
【００１０】
次にＳＴＥＰ１２４に移り衣類近傍絶対湿度Ｘｃと雰囲気空気の絶対湿度Ｘｒから乾燥係数Ｔｔを算出する。この乾燥係数Ｔｔは図１５の空気線図上では衣類近傍絶対湿度Ｘｃと雰囲気空気の絶対湿度Ｘｒの差となる。この乾燥係数Ｔｔが大となると衣類内水分の雰囲気空気への移行速度が大きくなる。よって乾燥係数Ｔｔを大きくすると衣類の乾燥速度は大となる。
【００１１】
図１３において、前述のとおり算出されたＴｔ（ＳＴＥＰ１１６）をもとに、ＳＴＥＰ１１７に移り、乾燥の判定を行う。ＳＴＥＰ１１４の測定間隔Ｘ時間経過毎に乾燥係数Ｔｔ値を求め、ＳＴＥＰ１１７で乾燥常数Ｄｘをもとに乾燥の判定を行う。
【００１２】
乾燥係数Ｔｔの累積値が乾燥常数Ｄｘを上回った場合、衣類は乾燥していると判断でき乾燥運転モードは運転停止となる。なお、乾燥常数Ｄｘはあらかじめ数種類用意し運転開始時の雰囲気空気の環境で変化できるものとする。
【００１３】
以上のように乾燥させたい衣類をたとえば除湿機１０１の吹出し口上方に吊り下げて衣類乾燥運転を選択すれば、マイクロコンピューター１０７の制御手段１０８により除湿制御手段１１０、送風制御手段１１１が自動設定され、衣類乾燥の判断がＳＴＥＰ１１７でおこなわれることにより自動的に衣類乾燥運転モードを停止する。
【先行技術文献】
【特許文献】
【００１４】
【特許文献１】特開２００３―４２５１３号公報
【発明の概要】
【発明が解決しようとする課題】
【００１５】
このような従来の除湿機の制御方法においては、衣類乾燥運転を停止する判断の元となる常数を運転開始時に設定する構成となっていたので、衣類の量、壁やカーテンやカーペットの湿気、外気との換気回数など、運転開始時にはわからない乾燥負荷に応じた、より精度の高い判断が十分でないという課題を有していた。
【００１６】
そこで本発明は、上記従来の課題を解決するものであり、衣類の量、壁やカーテンやカーペットの湿気、外気との換気回数など、運転開始時にはわからない乾燥負荷に応じた、より精度の高い衣類乾燥終了判断ができる除湿機の制御方法を提供することを目的とする。
【課題を解決するための手段】
【００１７】
そして、この目的を達成するために、本発明は、機器本体内に除湿手段１１２および送風手段１１３と、これら除湿手段１１２および送風手段１１３の運転制御を行う制御手段１と、機器周辺温度を検知する温度検知手段１０４と、機器周辺湿度を検知する湿度検知手段１０５と、を備えた除湿機において、前記制御手段１は、まず乾燥運転開始時における前記温度検知手段１０４の検知値と、前記湿度検知手段１０５の検知値と、運転モードとから乾燥終了を判断する乾燥常数Ｄｘを初期設定する乾燥常数初期設定制御を行い、次に乾燥常数Ｄｘを補正する乾燥常数補正制御を行なうことを特長とし、前記乾燥常数補正制御は、乾燥運転開始から、前記温度検知手段１０４と前記湿度検知手段１０５との検知値から計算される絶対湿度が、上昇から低下に転じる変化点までの時間によって、前記乾燥常数Ｄｘから補正値ＤＨを減じて補正し、前記補正値ＤＨは、経過時間Ｔｉｍｅの関数として計算し、最初に設定した前記乾燥常数Ｄｘを求めたときの絶対湿度が前回データより低下する経過時間Ｔｘを基準とし、前記経過時間Ｔｘより前記経過時間Ｔｉｍｅが長い場合は、その比率に応じて補正値ＤＨをマイナスにし、前記経過時間Ｔｘより前記経過時間Ｔｉｍｅが短い場合は、その比率に応じて前記補正値ＤＨをプラスにするものであり、これにより所期の目的を達成するものである。
【発明の効果】
【００１８】
本発明によれば、機器本体内に除湿手段１１２および送風手段１１３と、これら除湿手段１１２および送風手段１１３の運転制御を行う制御手段１と、機器周辺温度を検知する温度検知手段１０４と、機器周辺湿度を検知する湿度検知手段１０５と、を備えた除湿機において、前記制御手段１は、まず乾燥運転開始時における前記温度検知手段１０４の検知値と、前記湿度検知手段１０５の検知値と、運転モードとから乾燥終了を判断する乾燥常数Ｄｘを初期設定する乾燥常数初期設定制御を行い、次に乾燥常数Ｄｘを補正する乾燥常数補正制御を行なうことを特長とし、前記乾燥常数補正制御は、乾燥運転開始から、前記温度検知手段１０４と前記湿度検知手段１０５との検知値から計算される絶対湿度が、上昇から低下に転じる変化点までの時間によって、前記乾燥常数Ｄｘから補正値ＤＨを減じて補正し、前記補正値ＤＨは、経過時間Ｔｉｍｅの関数として計算し、最初に設定した前記乾燥常数Ｄｘを求めたときの絶対湿度が前回データより低下する経過時間Ｔｘを基準とし、前記経過時間Ｔｘより前記経過時間Ｔｉｍｅが長い場合は、その比率に応じて補正値ＤＨをマイナスにし、前記経過時間Ｔｘより前記経過時間Ｔｉｍｅが短い場合は、その比率に応じて前記補正値ＤＨをプラスにする構成としたものである。
【００１９】
これにより、衣類の量、壁やカーテンやカーペットの湿気、外気との換気回数など、運転開始時にはわからない乾燥負荷に応じた、より精度の高い衣類乾燥終了判断ができるものである。
【００２０】
通常、室内に衣類を干し、と、湿気は室内に放出され室内の湿度が上昇する。この衣類から放出される湿気量、壁やカーテンやカーペットの湿気量、および外部から室内へ侵入する湿気量などの乾燥負荷と、除湿機が除湿する除湿能力との差が、雰囲気空気の絶対湿度Ｘｒの変化に現れる。
【００２１】
すなわち、乾燥運転開始時は、衣類からの湿気の放出量が除湿機の除湿量より大きいので、雰囲気空気の絶対湿度Ｘｒは上昇する。しかし、衣類の乾燥が進むにつれ衣類からの湿気の放出量は少なくなり除湿機の除湿量が勝ってくる。つまり、雰囲気空気の絶対湿度Ｘｒは低下する。ここで、乾燥負荷が多ければ、雰囲気空気の絶対湿度Ｘｒの上昇から低下への変化点までの時間は長くなり、乾燥負荷が少なければ、雰囲気空気の絶対湿度Ｘｒの上昇から低下への変化点までの時間は短くなるものである。
【００２２】
そこで、乾燥運転開始時および乾燥運転時の温度検知手段１０４と湿度検知手段１０５の検知値と、その変化のいずれかに応じて乾燥常数Ｄｘを補正することにより、衣類の量、壁やカーテンやカーペットの湿気、外気との換気回数など、運転開始時にはわからない乾燥負荷に応じた、より精度の高い衣類乾燥終了判断をするという効果を得ることができる。また、前記乾燥常数補正制御は、乾燥運転開始から、前記温度検知手段１０４と前記湿度検知手段１０５との検知値から計算される絶対湿度が、上昇から低下に転じる変化点までの時間によって、前記乾燥常数Ｄｘを補正するという構成にしてもよい。これにより、絶対湿度の計算値によりその変化点を検出することとなるので、変化点を正確に検知できるという効果を奏する。
【図面の簡単な説明】
【００２３】
【図１】本発明の実施の形態の除湿機の断面概略図
【図２】本発明の実施の形態の除湿機のブロック回路図
【図３】本発明の実施の形態の除湿機の運転フローチャート図
【図４】本発明の実施の形態１のＤｘ値補正のフローチャート図
【図５】本発明の実施の形態２のＤｘ値補正のフローチャート図
【図６】本発明の実施の形態３のＤｘ値補正のフローチャート図
【図７】本発明の実施の形態４のＤｘ値補正のフローチャート図
【図８】本発明の実施の形態５のＤｘ値補正のフローチャート図
【図９】本発明の実施の形態６のＤｘ値補正のフローチャート図
【図１０】本発明の実施の形態７のＤｘ値補正のフローチャート図
【図１１】従来の除湿機の斜視図
【図１２】従来の除湿機のブロック回路図
【図１３】従来の除湿機の運転フローチャート回路図
【図１４】従来の除湿機の乾燥係数Ｔｔ算出フローチャート回路図
【図１５】従来の除湿機の乾燥係数Ｔｔを説明するための空気線図
【発明を実施するための形態】
【００２６】
本発明の請求項１記載の除湿機は、機器本体内に除湿手段１１２および送風手段１１３と、これら除湿手段１１２および送風手段１１３の運転制御を行う制御手段１と、機器周辺温度を検知する温度検知手段１０４と、機器周辺湿度を検知する湿度検知手段１０５と、を備えた除湿機において、前記制御手段１は、まず乾燥運転開始時における前記温度検知手段１０４の検知値と、前記湿度検知手段１０５の検知値と、運転モードとから乾燥終了を判断する乾燥常数Ｄｘを初期設定する乾燥常数初期設定制御を行い、次に乾燥常数Ｄｘを補正する乾燥常数補正制御を行なうことを特長とし、前記乾燥常数補正制御は、乾燥運転開始から、前記温度検知手段１０４と前記湿度検知手段１０５との検知値から計算される絶対湿度が、上昇から低下に転じる変化点までの時間によって、前記乾燥常数Ｄｘから補正値ＤＨを減じて補正し、前記補正値ＤＨは、経過時間Ｔｉｍｅの関数として計算し、最初に設定した前記乾燥常数Ｄｘを求めたときの絶対湿度が前回データより低下する経過時間Ｔｘを基準とし、前記経過時間Ｔｘより前記経過時間Ｔｉｍｅが長い場合は、その比率に応じて補正値ＤＨをマイナスにし、前記経過時間Ｔｘより前記経過時間Ｔｉｍｅが短い場合は、その比率に応じて前記補正値ＤＨをプラスにするという構成を有する。これにより、通常室内に衣類を干すと、湿気は室内に放出され室内の湿度が上昇する。この衣類から放出される湿気や、壁やカーテンやカーペットの湿気、外部からの湿気など乾燥負荷に対し、除湿機が除湿する除湿能力との差が雰囲気空気の絶対湿度Ｘｒの変化に現れる。除湿能力が勝れば雰囲気空気の絶対湿度Ｘｒは低下していくが、通常は雰囲気空気の絶対湿度Ｘｒは上昇する。しかし、衣類の乾燥が進むにつれ衣類からの湿気の放出は少なくなり除湿能力が勝ってくる。乾燥負荷が多ければその変化点までの時間は長くなり、少なければ短くなる。その変化点を初期およびその後の温度検知手段１０４と湿度検知手段１０５の検知値とその変化のいずれかで検知し、乾燥常数Ｄｘを補正することとなるので、衣類の量、壁やカーテンやカーペットの湿気、外気との換気回数など、運転開始時にはわからない乾燥負荷に応じた、より精度の高い判断をするという効果を得ることができ、絶対湿度の計算値によりその変化点を検出することとなるので、変化点を正確に検知できるという効果を奏する。
【００２７】
また、機器本体内に除湿手段１１２および送風手段１１３と、これら除湿手段１１２および送風手段１１３の運転制御を行う制御手段１と、機器周辺温度を検知する温度検知手段１０４と、機器周辺湿度を検知する湿度検知手段１０５と、を備えた除湿機において、前記制御手段１は、まず乾燥運転開始時における前記温度検知手段１０４の検知値と、前記湿度検知手段１０５の検知値と、運転モードとから乾燥終了を判断する乾燥常数Ｄｘを初期設定する乾燥常数初期設定制御を行い、次に乾燥常数Ｄｘを補正する乾燥常数補正制御を行なうことを特長とし、前記乾燥常数補正制御は、乾燥運転開始から、前記湿度検知手段１０５の検知値が上昇から低下に転じる変化点までの時間によって、前記乾燥常数Ｄｘから補正値ＤＨを減じて補正し、前記補正値ＤＨは、経過時間Ｔｉｍｅの関数として計算し、最初に設定した乾燥常数Ｄｘを求めたときの湿度Ｒｈ（ｎ）が前回データＲｈ（ｎ−１）より低下する経過時間Ｔｘを基準とし、前記経過時間Ｔｘより前記経過時間Ｔｉｍｅが長い場合は、その比率に応じて補正値ＤＨをマイナスにし、前記経過時間Ｔｘより前記経過時間Ｔｉｍｅが短い場合は、その比率に応じて補正値ＤＨをプラスにするという構成にしてもよい。これにより、通常室内に衣類を干すと、湿気は室内に放出され室内の湿度が上昇する。この衣類から放出される湿気や、壁やカーテンやカーペットの湿気、外部からの湿気など乾燥負荷に対し、除湿機が除湿する除湿能力との差が雰囲気空気の絶対湿度Ｘｒの変化に現れる。除湿能力が勝れば雰囲気空気の絶対湿度Ｘｒは低下していくが、通常は雰囲気空気の絶対湿度Ｘｒは上昇する。しかし、衣類の乾燥が進むにつれ衣類からの湿気の放出は少なくなり除湿能力が勝ってくる。乾燥負荷が多ければその変化点までの時間は長くなり、少なければ短くなる。その変化点を初期およびその後の温度検知手段１０４と湿度検知手段１０５の検知値とその変化のいずれかで検知し、乾燥常数Ｄｘを補正することとなるので、衣類の量、壁やカーテンやカーペットの湿気、外気との換気回数など、運転開始時にはわからない乾燥負荷に応じた、より精度の高い判断をするという効果を得ることができ、相対湿度の変化点を絶対湿度の変化点に置き換えて検出することとなるので、複雑な計算をすることなく変化点を検知できるという効果を奏する。
【００２８】
また、機器本体内に除湿手段１１２および送風手段１１３と、これら除湿手段１１２および送風手段１１３の運転制御を行う制御手段１と、機器周辺温度を検知する温度検知手段１０４と、機器周辺湿度を検知する湿度検知手段１０５と、を備えた除湿機において、前記制御手段１は、まず乾燥運転開始時における前記温度検知手段１０４の検知値と、前記湿度検知手段１０５の検知値と、運転モードとから乾燥終了を判断する乾燥常数Ｄｘを初期設定する乾燥常数初期設定制御を行い、次に乾燥常数Ｄｘを補正する乾燥常数補正制御を行なうことを特長とし、前記乾燥常数補正制御は、乾燥運転開始から、前記湿度検知手段１０５の検知値が上昇から低下に転じる変化点までの時間と、運転開始時の前記温度検知手段１０４の検知値とによって前記乾燥常数Ｄｘから補正値ＤＨを減じて補正し、前記補正値ＤＨは、経過時間Ｔｉｍｅと初期温度Ｔｅｍｐ０の関数として計算し、最初に設定した乾燥常数Ｄｘを求めたときの湿度Ｒｈ（ｎ）が前回データＲｈ（ｎ−１）より低下する経過時間Ｔｘと室温Ｔｒｘから基準とする経過時間Ｔｘを室温Ｔｒｘと初期温度Ｔｅｍｐ０の差によって補正し、前記経過時間Ｔｘより経過時間Ｔｉｍｅが長い場合は、その比率に応じて補正値ＤＨをマイナスにし、前記経過時間Ｔｘより経過時間Ｔｉｍｅが短い場合は、その比率に応じて補正値ＤＨをプラスにするという構成にしてもよい。これにより、通常室内に衣類を干すと、湿気は室内に放出され室内の湿度が上昇する。この衣類から放出される湿気や、壁やカーテンやカーペットの湿気、外部からの湿気など乾燥負荷に対し、除湿機が除湿する除湿能力との差が雰囲気空気の絶対湿度Ｘｒの変化に現れる。除湿能力が勝れば雰囲気空気の絶対湿度Ｘｒは低下していくが、通常は雰囲気空気の絶対湿度Ｘｒは上昇する。しかし、衣類の乾燥が進むにつれ衣類からの湿気の放出は少なくなり除湿能力が勝ってくる。乾燥負荷が多ければその変化点までの時間は長くなり、少なければ短くなる。その変化点を初期およびその後の温度検知手段１０４と湿度検知手段１０５の検知値とその変化のいずれかで検知し、乾燥常数Ｄｘを補正することとなるので、衣類の量、壁やカーテンやカーペットの湿気、外気との換気回数など、運転開始時にはわからない乾燥負荷に応じた、より精度の高い判断をするという効果を得ることができ、相対湿度または絶対湿度の変化点までの経過時間は乾燥負荷が多ければその変化点までの時間は長くなり、少なければ短くなると同時に、室温が高ければ時間は短くなり、低ければ長くなる。この室温に応じた変化点までの経過時間の補正をすることとなるので、乾燥負荷をより正確に判断することができるという効果を奏する。
【００２９】
また、機器本体内に除湿手段１１２および送風手段１１３と、これら除湿手段１１２および送風手段１１３の運転制御を行う制御手段１と、機器周辺温度を検知する温度検知手段１０４と、機器周辺湿度を検知する湿度検知手段１０５と、を備えた除湿機において、前記制御手段１は、まず乾燥運転開始時における前記温度検知手段１０４の検知値と、前記湿度検知手段１０５の検知値と、運転モードとから乾燥終了を判断する乾燥常数Ｄｘを初期設定する乾燥常数初期設定制御を行い、次に乾燥常数Ｄｘを補正する乾燥常数補正制御を行なうことを特長とし、前記乾燥常数補正制御は、乾燥運転開始時の前記温度検知手段１０４と前記湿度検知手段１０５の検出値から算出される乾燥係数Ｔｔ０と、乾燥運転時の前記温度検知手段１０４と前記湿度検知手段１０５の検出値から算出される乾燥係数Ｔｔとの差が一定以上変化するまでの時間によって前記乾燥常数Ｄｘから補正値ＤＨを減じて補正し、前記補正値ＤＨは、経過時間Ｔｉｍｅの関数として計算し、最初に設定した乾燥常数Ｄｘを求めたときの乾燥係数Ｔｔと初期の乾燥係数Ｔｔ０の差がＣ（定数）以上となる経過時間Ｔｘを基準とし、前記経過時間Ｔｘより前記経過時間Ｔｉｍｅが長い場合は、その比率に応じて補正値ＤＨをマイナスにし、前記経過時間Ｔｘより前記経過時間Ｔｉｍｅが短い場合は、その比率に応じて補正値ＤＨをプラスにするという構成にしてもよい。これにより、通常室内に衣類を干すと、湿気は室内に放出され室内の湿度が上昇する。この衣類から放出される湿気や、壁やカーテンやカーペットの湿気、外部からの湿気など乾燥負荷に対し、除湿機が除湿する除湿能力との差が雰囲気空気の絶対湿度Ｘｒの変化に現れる。除湿能力が勝れば雰囲気空気の絶対湿度Ｘｒは低下していくが、通常は雰囲気空気の絶対湿度Ｘｒは上昇する。しかし、衣類の乾燥が進むにつれ衣類からの湿気の放出は少なくなり除湿能力が勝ってくる。乾燥負荷が多ければその変化点までの時間は長くなり、少なければ短くなる。その変化点を初期およびその後の温度検知手段１０４と湿度検知手段１０５の検知値とその変化のいずれかで検知し、乾燥常数Ｄｘを補正することとなるので、衣類の量、壁やカーテンやカーペットの湿気、外気との換気回数など、運転開始時にはわからない乾燥負荷に応じた、より精度の高い判断をするという効果を得ることができ、乾燥係数の変化が初期段階より大きくなるということは室内の乾燥負荷が少なくなったという変化点を示すこととなるので、乾燥負荷をより正確に判断することができるという効果を奏する。
【００３０】
また、機器本体内に除湿手段１１２および送風手段１１３と、これら除湿手段１１２および送風手段１１３の運転制御を行う制御手段１と、機器周辺温度を検知する温度検知手段１０４と、機器周辺湿度を検知する湿度検知手段１０５と、を備えた除湿機において、前記制御手段１は、まず乾燥運転開始時における前記温度検知手段１０４の検知値と、前記湿度検知手段１０５の検知値と、運転モードとから乾燥終了を判断する乾燥常数Ｄｘを初期設定する乾燥常数初期設定制御を行い、次に乾燥常数Ｄｘを補正する乾燥常数補正制御を行なうことを特長とし、前記乾燥常数補正制御は、乾燥運転開始時の前記温度検知手段１０４と前記湿度検知手段１０５の検出値から算出される乾燥係数Ｔｔ０と、乾燥運転時の前記温度検知手段１０４と前記湿度検知手段１０５の検出値から算出される乾燥係数Ｔｔとの差が、乾燥運転開始時の前記初期乾燥係数Ｔｔ０に応じた設定値以上変化するまでの時間によって前記乾燥常数Ｄｘから補正値ＤＨを減じて補正し、前記補正値ＤＨは、経過時間Ｔｉｍｅの関数として計算し、最初に設定した乾燥常数Ｄｘを求めたときの乾燥係数Ｔｔと初期の乾燥係数Ｔｔ０の差がＣ×Ｔｔ０（Ｃは定数）以上となる経過時間Ｔｘを基準とし、前記経過時間Ｔｘより前記経過時間Ｔｉｍｅが長い場合は、その比率に応じて補正値ＤＨをマイナスにし、前記経過時間Ｔｘより前記経過時間Ｔｉｍｅが短い場合は、その比率に応じて補正値ＤＨをプラスにするという構成にしてもよい。これにより、通常室内に衣類を干すと、湿気は室内に放出され室内の湿度が上昇する。この衣類から放出される湿気や、壁やカーテンやカーペットの湿気、外部からの湿気など乾燥負荷に対し、除湿機が除湿する除湿能力との差が雰囲気空気の絶対湿度Ｘｒの変化に現れる。除湿能力が勝れば雰囲気空気の絶対湿度Ｘｒは低下していくが、通常は雰囲気空気の絶対湿度Ｘｒは上昇する。しかし、衣類の乾燥が進むにつれ衣類からの湿気の放出は少なくなり除湿能力が勝ってくる。乾燥負荷が多ければその変化点までの時間は長くなり、少なければ短くなる。その変化点を初期およびその後の温度検知手段１０４と湿度検知手段１０５の検知値とその変化のいずれかで検知し、乾燥常数Ｄｘを補正することとなるので、衣類の量、壁やカーテンやカーペットの湿気、外気との換気回数など、運転開始時にはわからない乾燥負荷に応じた、より精度の高い判断をするという効果を得ることができ、乾燥係数の変化が初期段階より大きくなるということは室内の乾燥負荷が少なくなったという変化点を示すことであり、この変化の度合いは、初期乾燥係数Ｔｔ０が大きければ小さくなり、初期乾燥係数Ｔｔ０が小さければ大きくなる。室内の乾燥負荷が少なくなったという変化点の判断を、初期乾燥係数Ｔｔ０に応じて補正をすることとなるので、乾燥負荷をより正確に判断することができるという効果を奏する。
【００３１】
また、機器本体内に除湿手段１１２および送風手段１１３と、これら除湿手段１１２および送風手段１１３の運転制御を行う制御手段１と、機器周辺温度を検知する温度検知手段１０４と、機器周辺湿度を検知する湿度検知手段１０５と、を備えた除湿機において、前記制御手段１は、まず乾燥運転開始時における前記温度検知手段１０４の検知値と、前記湿度検知手段１０５の検知値と、運転モードとから乾燥終了を判断する乾燥常数Ｄｘを初期設定する乾燥常数初期設定制御を行い、次に乾燥常数Ｄｘを補正する乾燥常数補正制御を行なうことを特長とし、前記乾燥常数補正制御は、乾燥運転開始時の前記温度検知手段１０４と前記湿度検知手段１０５の検出値から算出される乾燥係数Ｔｔ０と、乾燥運転時の前記温度検知手段１０４と前記湿度検知手段１０５の検出値から算出される乾燥係数Ｔｔの差が一定以上変化するまでの時間と、そのときの前記温度検知手段１０４の検知値と、乾燥運転開始時の前記温度検知手段１０４の検知値とから算出される単位時間あたりの平均温度変化値によって前記乾燥常数Ｄｘから補正値ＤＨを減じて補正し、前記補正値ＤＨは、経過時間Ｔｉｍｅの関数として計算し、最初に設定した乾燥常数Ｄｘを求めたときの乾燥係数Ｔｔと初期の乾燥係数Ｔｔ０の差がＣ（定数）以上となる経過時間Ｔｘと、前記経過時間Ｔｉｍｅと前記温度検知手段１０４の検知値Ｔｅｍｐ（ｎ）と初期の温度検知手段１０４の検知値Ｔｅｍｐ０から算出される単位時間あたりの平均温度変化値によって補正し、前記経過時間Ｔｘを基準とし、前記経過時間Ｔｘより前記経過時間Ｔｉｍｅが長い場合は、その比率に応じて補正値ＤＨをマイナスにし、前記経過時間Ｔｘより前記経過時間Ｔｉｍｅが短い場合は、その比率に応じて補正値ＤＨをプラスにするという構成にしてもよい。
【００３２】
これにより、通常室内に衣類を干すと、湿気は室内に放出され室内の湿度が上昇する。この衣類から放出される湿気や、壁やカーテンやカーペットの湿気、外部からの湿気など乾燥負荷に対し、除湿機が除湿する除湿能力との差が雰囲気空気の絶対湿度Ｘｒの変化に現れる。除湿能力が勝れば雰囲気空気の絶対湿度Ｘｒは低下していくが、通常は雰囲気空気の絶対湿度Ｘｒは上昇する。しかし、衣類の乾燥が進むにつれ衣類からの湿気の放出は少なくなり除湿能力が勝ってくる。乾燥負荷が多ければその変化点までの時間は長くなり、少なければ短くなる。その変化点を初期およびその後の温度検知手段１０４と湿度検知手段１０５の検知値とその変化のいずれかで検知し、乾燥常数Ｄｘを補正することとなるので、衣類の量、壁やカーテンやカーペットの湿気、外気との換気回数など、運転開始時にはわからない乾燥負荷に応じた、より精度の高い判断をするという効果を得ることができ、乾燥係数の変化が初期段階より大きくなるということは室内の乾燥負荷が少なくなったという変化点を示すことであり、この変化点までの時間において、室内の空間が狭い場合は室温の平均温度変化値が大きくなる傾向があり、室内の空間が広い場合は室温の平均温度変化値が小さくなる傾向がある。この室内の平均温度変化値に応じて補正をすることとなるので、乾燥負荷をより正確に判断することができるという効果を奏する。
【００３３】
また、機器本体内に除湿手段１１２および送風手段１１３と、これら除湿手段１１２および送風手段１１３の運転制御を行う制御手段１と、機器周辺温度を検知する温度検知手段１０４と、機器周辺湿度を検知する湿度検知手段１０５と、を備えた除湿機において、前記制御手段１は、まず乾燥運転開始時における前記温度検知手段１０４の検知値と、前記湿度検知手段１０５の検知値と、運転モードとから乾燥終了を判断する乾燥常数Ｄｘを初期設定する乾燥常数初期設定制御を行い、次に乾燥常数Ｄｘを補正する乾燥常数補正制御を行なうことを特長とし、前記乾燥常数補正制御は、乾燥運転開始時の前記温度検知手段１０４と前記湿度検知手段１０５の検出値から算出される乾燥係数Ｔｔ０と、乾燥運転時の前記温度検知手段１０４と前記湿度検知手段１０５の検出値から算出される乾燥係数Ｔｔの差が、乾燥運転開始時の前記温度検知手段１０４の検知値による設定値以上変化するまでの時間と、そのときの前記温度検知手段１０４の検知値と運転開始時の前記温度検知手段１０４の検知値から算出される単位時間あたりの平均温度変化値とによって前記乾燥常数Ｄｘから補正値ＤＨを減じて補正し、前記補正値ＤＨは、経過時間Ｔｉｍｅの関数として計算し、最初に設定した乾燥常数Ｄｘを求めたときの乾燥係数Ｔｔと初期の乾燥係数Ｔｔ０の差がＣ×Ｔｔ０（Ｃは定数）以上となる経過時間Ｔｘと、経過時間Ｔｉｍｅと温度検知手段１０４の検知値Ｔｅｍｐ（ｎ）と初期の温度検知手段１０４の検知値Ｔｅｍｐ０から算出される単位時間あたりの平均温度変化値によって補正し、前記経過時間Ｔｘを基準とし、前記経過時間Ｔｘより前記経過時間Ｔｉｍｅが長い場合は、その比率に応じて補正値ＤＨをマイナスにし、前記経過時間Ｔｘより前記経過時間Ｔｉｍｅが短い場合は、その比率に応じて補正値ＤＨをプラスにするという構成にしてもよい。
【００３４】
これにより、通常室内に衣類を干すと、湿気は室内に放出され室内の湿度が上昇する。この衣類から放出される湿気や、壁やカーテンやカーペットの湿気、外部からの湿気など乾燥負荷に対し、除湿機が除湿する除湿能力との差が雰囲気空気の絶対湿度Ｘｒの変化に現れる。除湿能力が勝れば雰囲気空気の絶対湿度Ｘｒは低下していくが、通常は雰囲気空気の絶対湿度Ｘｒは上昇する。しかし、衣類の乾燥が進むにつれ衣類からの湿気の放出は少なくなり除湿能力が勝ってくる。乾燥負荷が多ければその変化点までの時間は長くなり、少なければ短くなる。その変化点を初期およびその後の温度検知手段１０４と湿度検知手段１０５の検知値とその変化のいずれかで検知し、乾燥常数Ｄｘを補正することとなるので、衣類の量、壁やカーテンやカーペットの湿気、外気との換気回数など、運転開始時にはわからない乾燥負荷に応じた、より精度の高い判断をするという効果を得ることができ、乾燥係数の変化が初期段階より大きくなるということは室内の乾燥負荷が少なくなったという変化点を示すことであり、この変化点までの経過時間は乾燥負荷が多ければその変化点までの時間は長くなり、少なければ短くなると同時に、室温が高ければ時間は短くなり、低ければ長くなる。この室温に応じた変化点までの経過時間の補正をするとともに、この変化点までの経過時間において、室内の空間が狭い場合は室温の平均温度変化値が大きくなる傾向があり、室内の空間が広い場合は室温の平均温度変化値が小さくなる傾向がある。この室内の平均温度変化値に応じて補正をすることとなるので、乾燥負荷をより正確に判断することができるという効果を奏する。
【００３５】
以下、本発明の実施の形態について図面を参照しながら説明する。
【００３６】
（実施の形態１）
図１と２に示すように、機器本体内に除湿手段１１２および送風手段１１３と、これら除湿手段１１２および送風手段１１３の運転制御を行う制御手段１と、機器周辺温度を検知する温度検知手段１０４、湿度を検知する湿度検知手段１０５および運転操作を行なう操作部を備えた除湿機において、従来例と同様に、操作部運転スイッチの衣類乾燥モード（図示せず）を選択した場合、図３のフローチャートに示すように、ＳＴＥＰ１１１でスイッチ入力される。
【００３７】
次にＳＴＥＰ１１２で入力されたスイッチの種類を区別し、衣類乾燥スイッチの入力がある場合はＳＴＥＰ１１３に移ることとなる。そしてＳＴＥＰ１１３にて制御手段１により乾燥運転が開始され乾燥常数Ｄｘが設定される。ここで、乾燥常数Ｄｘの設定について説明する。
【００３８】
乾燥常数Ｄｘは、あらかじめ標準的な試験条件（部屋の大きさ、衣類の量、温湿度など）を設定し、実験によって求めた値を設定する。
【００３９】
次に、本発明では乾燥係数Ｄｘ値の補正に入る。ここでは、再び従来例と同様に温度検知手段１０４、湿度検知手段１０５において検知された温度、湿度は信号送付手段によりマイクロコンピューター２内の制御手段１に送られる。検知された温度、湿度をもとに制御手段１にて乾燥係数Ｔｔの算出（ＳＴＥＰ１１６）が行われる。
【００４０】
乾燥係数Ｔｔは、図１４に示すように、検知された温度、湿度から雰囲気空気の絶対湿度Ｘｒと全熱量Ｉｒを算出する（ＳＴＥＰ１２１）。
【００４１】
ここで、衣類の乾燥についての考え方を空気線図上で検討を行なうこととする。図１５において一般的な雰囲気空気を空気状態とする。この空気で全熱量が変化しない状態は等エンタルピー状態である。衣類乾燥時の衣類近傍空気は湿度１００％の状態になっていることから上記雰囲気空気の等エンタルピー上の空気状態と推測できる。従って、図１４に示すように、衣類近傍空気は乾燥過程のため湿度１００％と仮定（ＳＴＥＰ１２２）と、ＳＴＥＰ１２１で算出された雰囲気空気の全熱量Ｉｒとから衣類近傍の絶対湿度Ｘｃが算出できる（ＳＴＥＰ１２３）。
【００４２】
次にＳＴＥＰ１２４に移り衣類近傍絶対湿度Ｘｃと雰囲気空気の絶対湿度Ｘｒから乾燥係数Ｔｔを算出する。この乾燥係数Ｔｔは図１５の空気線図上では衣類近傍絶対湿度Ｘｃと雰囲気空気の絶対湿度Ｘｒの差となる。この乾燥係数Ｔｔが大となると衣類内水分の雰囲気空気への移行速度が大きくなる。よって乾燥係数Ｔｔを大きくすると衣類の乾燥速度は大となる。
【００４３】
そして、ＳＴＥＰ１１７に移り、乾燥の判定を行う。ＳＴＥＰ１１４の測定間隔Ｘ時間経過毎に乾燥係数Ｔｔ値を求め、ＳＴＥＰ１１７で補正された乾燥常数Ｄｘをもとに乾燥の判定を行う。
【００４４】
乾燥の判定は、乾燥常数Ｄｘから測定間隔Ｘ時間経過毎に乾燥係数Ｔｔを減算し、減算値が０以上の場合に乾燥していないと判断し、減算値が０より小さくなった場合に乾燥していると判断する。
【００４５】
ここで、本発明の乾燥係数Ｄｘ値の補正について図４を用いて説明する。
【００４６】
まずタイマーＴｉｍｅ（ＳＴＥＰ１）をスタートさせ、経過時間を測定する。次に、温度検知手段１０４、湿度検知手段１０５において検知（ＳＴＥＰ２）された温度、湿度は信号送付手段によりマイクロコンピューター２内の制御手段１に送られる。検知された温度Ｔｅｍｐ０、湿度Ｒｈ０をもとに制御手段１にて乾燥係数Ｔｔ０の算出（ＳＴＥＰ３）を行い、それぞれを初期値として記憶する。
【００４７】
そして、測定間隔Ｘ分でループする（ＳＴＥＰ４）に入り、温度検知手段１０４、湿度検知手段１０５において検知（ＳＴＥＰ５）された温度、湿度は信号送付手段によりマイクロコンピューター２内の制御手段１に送られる。検知された温度Ｔｅｍｐ（ｎ）、湿度Ｒｈ（ｎ）をもとに制御手段１にて乾燥係数Ｔｔの算出（ＳＴＥＰ６）と絶対湿度Ｘｒ（ｎ）の算出（ＳＴＥＰ７）を行い、乾燥常数Ｄｘをもとに乾燥の判定を行う（ＳＴＥＰ８）。
【００４８】
まだ乾燥していないと判断した場合、絶対湿度Ｘｒ（ｎ）が前回データＸｒ（ｎ−１）より低下しているか判断（ＳＴＥＰ９−１）し、低下していない場合はＳＴＥＰ４にもどり繰り返す。低下している場合は、その時の経過時間Ｔｉｍｅによって補正値ＤＨを算出し乾燥常数Ｄｘを補正（ＳＴＥＰ１０−１）する。
【００４９】
具体的には、補正値ＤＨは、経過時間Ｔｉｍｅの関数として計算する。最初に設定した乾燥常数Ｄｘを求めたときの絶対湿度Ｘｒ（ｎ）が前回データＸｒ（ｎ−１）より低下する経過時間Ｔｘを基準に経過時間Ｔｉｍｅが長い場合はその比率に応じて補正値ＤＨをマイナスになり、経過時間Ｔｉｍｅが短い場合はその比率に応じて補正値ＤＨをプラスにする。１例としては、ＤＨ＝ａ×（Ｔｘ−Ｔｉｍｅ）の式で、ａは定数のような形で算出する。そして、乾燥常数Ｄｘから補正値ＤＨを減じて補正する。
【００５０】
通常室内に衣類を干すと、湿気は室内に放出され室内の湿度が上昇する。この衣類から放出される湿気や、壁やカーテンやカーペットの湿気、外部からの湿気など乾燥負荷に対し、除湿機が除湿する除湿能力との差が雰囲気空気の絶対湿度Ｘｒの変化に現れる。除湿能力が勝れば雰囲気空気の絶対湿度Ｘｒは低下していくが、通常は雰囲気空気の絶対湿度Ｘｒは上昇する。しかし、衣類の乾燥が進むにつれ衣類からの湿気の放出は少なくなり除湿能力が勝ってくる。乾燥負荷が多ければその変化点までの時間は長くなり、少なければ短くなる。その変化点を温度検知手段１０４と湿度検知手段１０５の検知値から算出される絶対湿度Ｘｒの変化で検知し、乾燥常数Ｄｘを補正することとなるので、衣類の量、壁やカーテンやカーペットの湿気、外気との換気回数など、運転開始時にはわからない乾燥負荷に応じた、より精度の高い判断をするという効果を得ることができる。
【００５１】
なお、実施の形態において、絶対湿度Ｘｒの低下を１回の変化で判断しているが複数回連続で低下した場合に変化したと判断するようにすることや、複数回の平均をとって変化を判断するようにすることで一時の外乱などによるご判断を防止するようにしても良い。
【００５２】
（実施の形態２）
本発明の乾燥係数Ｄｘ値の補正について図５を用いて説明する。図４と同様の構成要素については同一の符号を付し、その詳細な説明は省略する。
【００５３】
図５では絶対湿度を算出するＳＴＥＰ６を削除し、変化点の判断を湿度検知手段１０５において検知された湿度Ｒｈ（ｎ）（ＳＴＥＰ９−２）にて行う。
【００５４】
具体的には、補正値ＤＨは、経過時間Ｔｉｍｅの関数として計算する。最初に設定した乾燥常数Ｄｘを求めたときの湿度Ｒｈ（ｎ）が前回データＲｈ（ｎ−１）より低下する経過時間Ｔｘを基準に経過時間Ｔｉｍｅが長い場合はその比率に応じて補正値ＤＨをマイナスになり、経過時間Ｔｉｍｅが短い場合はその比率に応じて補正値ＤＨをプラスにする。１例としては、ＤＨ＝ａ×（Ｔｘ−Ｔｉｍｅ）の式で、ａは定数のような形で算出する。そして、乾燥常数Ｄｘから補正値ＤＨを減じて補正する。
【００５５】
これによって、相対湿度の変化点を絶対湿度の変化点に置き換えて検出することとなるので、複雑な計算をすることなく同様の効果を得ることができる。
【００５６】
（実施の形態３）
本発明の乾燥係数Ｄｘ値の補正について図６を用いて説明する。図４および図５と同様の構成要素については同一の符号を付し、その詳細な説明は省略する。
【００５７】
図６では図５に対し、補正値ＤＨの算出をその時の経過時間Ｔｉｍｅと初期の温度Ｔｅｍｐ０を用いて行い乾燥常数Ｄｘを補正（ＳＴＥＰ１０−２）する。
【００５８】
具体的には、補正値ＤＨは、経過時間Ｔｉｍｅと初期温度Ｔｅｍｐ０の関数として計算する。最初に設定した乾燥常数Ｄｘを求めたときの湿度Ｒｈ（ｎ）が前回データＲｈ（ｎ−１）より低下する経過時間Ｔｘと室温Ｔｒｘから基準とする経過時間Ｔｘを室温Ｔｒｘと初期温度Ｔｅｍｐ０の差によって補正する。１例としてはＴｘ＝Ｔｘ＋ｂ×（Ｔｒｘ−Ｔｅｍｐ０）の式で、ｂは定数のような形で算出する。
【００５９】
このように補正された経過時間Ｔｘを基準に経過時間Ｔｉｍｅが長い場合はその比率に応じて補正値ＤＨをマイナスになり、経過時間Ｔｉｍｅが短い場合はその比率に応じて補正値ＤＨをプラスにする。１例としては、ＤＨ＝ａ×（Ｔｘ−Ｔｉｍｅ）の式で、ａは定数のような形で算出する。そして、乾燥常数Ｄｘから補正値ＤＨを減じて補正する。
【００６０】
これによって、相対湿度の変化点までの経過時間は乾燥負荷が多ければその変化点までの時間は長くなり、少なければ短くなると同時に、室温が高ければ時間は短くなり、低ければ長くなる。この室温に応じた変化点までの経過時間の補正をすることとなるので、乾燥負荷をより正確に判断することができる。
【００６１】
また、変化点の判断としてＳＴＥＰ９−２（相対湿度Ｒｈ）を用いたが、ＳＴＥＰ９−１（絶対湿度Ｘｒ）を用いてもよく、その作用効果に差異を生じない。
【００６２】
（実施の形態４）
本発明の乾燥係数Ｄｘ値の補正について図７を用いて説明する。図４および図５と同様の構成要素については同一の符号を付し、その詳細な説明は省略する。
【００６３】
図７では図５に対し、変化点の判断を乾燥係数Ｔｔと初期の乾燥係数Ｔｔ０の差が一定以上（ＳＴＥＰ９−３）としている。
【００６４】
具体的には、補正値ＤＨは、経過時間Ｔｉｍｅの関数として計算する。最初に設定した乾燥常数Ｄｘを求めたときの乾燥係数Ｔｔと初期の乾燥係数Ｔｔ０の差がＣ（定数）以上となる経過時間Ｔｘを基準に経過時間Ｔｉｍｅが長い場合はその比率に応じて補正値ＤＨをマイナスになり、経過時間Ｔｉｍｅが短い場合はその比率に応じて補正値ＤＨをプラスにする。１例としては、ＤＨ＝ａ×（Ｔｘ−Ｔｉｍｅ）の式で、ａは定数のような形で算出する。そして、乾燥常数Ｄｘから補正値ＤＨを減じて補正する。
【００６５】
これにより、乾燥係数Ｔｔが初期段階Ｔｔ０より大きくなるということは室内の乾燥負荷が少なくなったという変化点を示すこととなるので、乾燥負荷をより正確に判断することができる。
【００６６】
（実施の形態５）
本発明の乾燥係数Ｄｘ値の補正について図８を用いて説明する。図７と同様の構成要素については同一の符号を付し、その詳細な説明は省略する。
【００６７】
図８では図７に対し、変化点の判断を乾燥係数Ｔｔと初期の乾燥係数Ｔｔ０の差が初期の乾燥係数Ｔｔ０により算出される値以上（ＳＴＥＰ９−４）としている。
【００６８】
具体的には、補正値ＤＨは、経過時間Ｔｉｍｅの関数として計算する。最初に設定した乾燥常数Ｄｘを求めたときの乾燥係数Ｔｔと初期の乾燥係数Ｔｔ０の差がＣ×Ｔｔ０（Ｃは定数）以上となる経過時間Ｔｘを基準に経過時間Ｔｉｍｅが長い場合はその比率に応じて補正値ＤＨをマイナスになり、経過時間Ｔｉｍｅが短い場合はその比率に応じて補正値ＤＨをプラスにする。１例としては、ＤＨ＝ａ×（Ｔｘ−Ｔｉｍｅ）の式で、ａは定数のような形で算出する。そして、乾燥常数Ｄｘから補正値ＤＨを減じて補正する。
【００６９】
これにより、乾燥係数Ｔｔが初期段階Ｔｔ０より大きくなるということは室内の乾燥負荷が少なくなったという変化点を示すことであり、この変化の度合いは、初期乾燥係数Ｔｔ０が大きければ小さくなり、初期乾燥係数Ｔｔ０が小さければ大きくなる。室内の乾燥負荷が少なくなったという変化点の判断を、初期乾燥係数Ｔｔ０に応じて補正をすることとなるので、乾燥負荷をより正確に判断することができる。
【００７０】
（実施の形態６）
本発明の乾燥係数Ｄｘ値の補正について図９を用いて説明する。図６と同様の構成要素については同一の符号を付し、その詳細な説明は省略する。
【００７１】
図９では図７に対し、補正値ＤＨの算出をその時の経過時間Ｔｉｍｅと温度検知手段１０４の検知値Ｔｅｍｐ（ｎ）と初期の温度検知手段１０４の検知値Ｔｅｍｐ０から算出される単位時間あたりの平均温度変化値を用いて行い乾燥常数Ｄｘを補正（ＳＴＥＰ１０−３）する。
【００７２】
具体的には、補正値ＤＨは、経過時間Ｔｉｍｅの関数として計算する。最初に設定した乾燥常数Ｄｘを求めたときの乾燥係数Ｔｔと初期の乾燥係数Ｔｔ０の差がＣ（定数）以上となる経過時間Ｔｘと、経過時間Ｔｉｍｅと温度検知手段１０４の検知値Ｔｅｍｐ（ｎ）と初期の温度検知手段１０４の検知値Ｔｅｍｐ０から算出される単位時間あたりの平均温度変化値によって補正する。１例としてはＴｘ＝Ｔｘ＋ｂ×｛（Ｔｅｍｐ（ｎ）−Ｔｅｍｐ０）／Ｔｉｍｅ−ｃ｝の式で、ｂ、ｃは定数のような形で算出する。
【００７３】
このように補正された経過時間Ｔｘを基準に経過時間Ｔｉｍｅが長い場合はその比率に応じて補正値ＤＨをマイナスになり、経過時間Ｔｉｍｅが短い場合はその比率に応じて補正値ＤＨをプラスにする。１例としては、ＤＨ＝ａ×（Ｔｘ−Ｔｉｍｅ）の式で、ａは定数のような形で算出する。そして、乾燥常数Ｄｘから補正値ＤＨを減じて補正する。
【００７４】
これにより、乾燥係数Ｔｔが初期段階Ｔｔ０より大きくなるということは室内の乾燥負荷が少なくなったという変化点を示すことであり、この変化点までの時間において、室内の空間が狭い場合は室温の平均温度変化値が大きくなる傾向があり、室内の空間が広い場合は室温の平均温度変化値が小さくなる傾向がある。この室内の平均温度変化値に応じて補正をすることとなるので、乾燥負荷をより正確に判断することができる。
【００７５】
（実施の形態７）
本発明の乾燥係数Ｄｘ値の補正について図１０を用いて説明する。図９と同様の構成要素については同一の符号を付し、その詳細な説明は省略する。
【００７６】
図１０では図９に対し、変化点の判断を乾燥係数Ｔｔと初期の乾燥係数Ｔｔ０の差が初期の乾燥係数Ｔｔ０により算出される値以上（ＳＴＥＰ９−４）としている。
【００７７】
具体的には、補正値ＤＨは、経過時間Ｔｉｍｅの関数として計算する。最初に設定した乾燥常数Ｄｘを求めたときの乾燥係数Ｔｔと初期の乾燥係数Ｔｔ０の差がＣ×Ｔｔ０（Ｃは定数）以上となる経過時間Ｔｘと、経過時間Ｔｉｍｅと温度検知手段１０４の検知値Ｔｅｍｐ（ｎ）と初期の温度検知手段１０４の検知値Ｔｅｍｐ０から算出される単位時間あたりの平均温度変化値によって補正する。１例としてはＴｘ＝Ｔｘ＋ｂ×｛（Ｔｅｍｐ（ｎ）−Ｔｅｍｐ０）／Ｔｉｍｅ−ｃ｝の式で、ｂ、ｃは定数のような形で算出する。
【００７８】
このように補正された経過時間Ｔｘを基準に経過時間Ｔｉｍｅが長い場合はその比率に応じて補正値ＤＨをマイナスになり、経過時間Ｔｉｍｅが短い場合はその比率に応じて補正値ＤＨをプラスにする。１例としては、ＤＨ＝ａ×（Ｔｘ−Ｔｉｍｅ）の式で、ａは定数のような形で算出する。そして、乾燥常数Ｄｘから補正値ＤＨを減じて補正する。
【００７９】
これにより、乾燥係数Ｔｔが初期段階Ｔｔ０より大きくなるということは室内の乾燥負荷が少なくなったという変化点を示すことであり、この変化の度合いは、初期乾燥係数Ｔｔ０が大きければ小さくなり、初期乾燥係数Ｔｔ０が小さければ大きくなる。室内の乾燥負荷が少なくなったという変化点の判断を、初期乾燥係数Ｔｔ０に応じて補正をすることとなるとともに、変化点までの時間において、室内の空間が狭い場合は室温の平均温度変化値が大きくなる傾向があり、室内の空間が広い場合は室温の平均温度変化値が小さくなる傾向がある。この室内の平均温度変化値に応じて補正をすることとなるので、乾燥負荷をより正確に判断することができる。
【産業上の利用可能性】
【００８０】
本発明によれば、制御手段１により乾燥運転が開始され、温度検知手段１０４と湿度検知手段１０５の検知値や運転モードから乾燥終了を判断する乾燥常数Ｄｘを初期設定し、初期およびその後の温度検知手段１０４と湿度検知手段１０５の検知値と、その変化のいずれかに応じて乾燥常数Ｄｘを修正する構成としたものである。
【００８１】
これにより、衣類の量、壁やカーテンやカーペットの湿気、外気との換気回数など、運転開始時にはわからない乾燥負荷に応じた、より精度の高い衣類乾燥終了判断ができるものである。
【００８２】
通常、室内に衣類を干し、と、湿気は室内に放出され室内の湿度が上昇する。この衣類から放出される湿気量、壁やカーテンやカーペットの湿気量、および外部から室内へ侵入する湿気量などの乾燥負荷と、除湿機が除湿する除湿能力との差が、雰囲気空気の絶対湿度Ｘｒの変化に現れる。
【００８３】
すなわち、乾燥運転開始時は、衣類からの湿気の放出量が除湿機の除湿量より大きいので、雰囲気空気の絶対湿度Ｘｒは上昇する。しかし、衣類の乾燥が進むにつれ衣類からの湿気の放出量は少なくなり除湿機の除湿量が勝ってくる。つまり、雰囲気空気の絶対湿度Ｘｒは低下する。ここで、乾燥負荷が多ければ、雰囲気空気の絶対湿度Ｘｒの上昇から低下への変化点までの時間は長くなり、乾燥負荷が少なければ、雰囲気空気の絶対湿度Ｘｒの上昇から低下への変化点までの時間は短くなるものである。
【００８４】
そこで、乾燥運転開始時および乾燥運転時の温度検知手段１０４と湿度検知手段１０５の検知値と、その変化のいずれかに応じて乾燥常数Ｄｘを補正することにより、衣類の量、壁やカーテンやカーペットの湿気、外気との換気回数など、運転開始時にはわからない乾燥負荷に応じた、より精度の高い衣類乾燥終了判断をするという効果を得ることができる。
【００８５】
以上のように、本発明にかかる除湿機は、運転開始時にはわからない乾燥負荷に応じた、より精度の高い衣類乾燥終了判断を可能とするものであるので、衣類乾燥に使用される家庭用除湿機等として有用である。
【符号の説明】
【００８６】
１  制御手段
２  マイクロコンピューター
１０４  温度検知手段
１０５  湿度検知手段
１０７  マイクロコンピューター
１０８  制御手段
１１２  除湿手段
１１３  送風手段
【図１】
0005333480.tif 000002
【図２】
0005333480.tif 000003
【図３】
0005333480.tif 000004
【図４】
0005333480.tif 000005
【図５】
0005333480.tif 000006
【図６】
0005333480.tif 000007
【図７】
0005333480.tif 000008
【図８】
0005333480.tif 000009
【図９】
0005333480.tif 000010
【図１０】
0005333480.tif 000011
【図１１】
0005333480.tif 000012
【図１２】
0005333480.tif 000013
【図１３】
0005333480.tif 000014
【図１４】
0005333480.tif 000015
【図１５】
0005333480.tif 000016